(57)【特許請求の範囲】
【請求項１】
画像データを入力し、当該画像データに基づいて光源からの光を変調することにより画像を形成する光変調手段を備えた画像表示装置であって、
上記画像データにより表される画像の有彩色成分の量を検出する色情報検出手段と、
上記有彩色成分の量に基づいて、上記光源の輝度を制御するための光源制御データを生成する光源制御データ生成手段と、
上記光源制御データに基づいて上記光源の輝度を制御する光源制御手段とを備え、
上記色情報検出手段は、複数の色成分毎に有彩色成分の量を検出し、
上記光源制御データ生成部は、上記色成分毎に検出される有彩色成分の量に基づいて光源制御データを生成することを特徴とする画像表示装置。
【請求項２】
画像データを入力し、当該画像データに基づいて光源からの光を変調することにより画像を形成する光変調手段を備えた画像表示装置であって、
上記画像データにより表される画像の有彩色成分の量を検出する色情報検出手段と、
上記有彩色成分の量に基づいて、上記光源の輝度を制御するための光源制御データを生成する光源制御データ生成手段と、
上記光源制御データに基づいて上記光源の輝度を制御する光源制御手段と、
上記画像データにより表される画像の各画素における輝度成分の量を検出する輝度情報検出手段と、
上記輝度成分の量、および上記光源制御データに基づいて、上記画像データにより表される画像の各画素の階調を補正するための画像制御データを生成する画像制御データ生成手段と、
上記画像制御データに基づいて上記画像データを補正する画像制御手段とをさらに備え、上記光変調手段は、補正された上記画像データに基づいて上記光源からの光を変調することを特徴とする画像表示装置。
【請求項３】
上記光源制御データ生成手段は、上記画像データにより表される画像の１フレームにおける有彩色成分の量、または複数の各フレームにおける有彩色成分の量に基づいて光源制御データを生成することを特徴とする請求項２に記載の画像表示装置。
【請求項４】
上記色情報検出手段は、上記画像データにより表される画像の特定の領域における有彩色成分の量を検出し、
上記光源制御データ生成手段は、上記特定の領域における有彩色成分の量に基づいて光源制御データを生成することを特徴とする請求項２に記載の画像表示装置。
【請求項５】
画像データを入力し、当該画像データに基づいて光源からの光を変調することにより画像を形成する画像表示方法であって、
上記画像データにより表される画像の有彩色成分の量を複数の色成分毎に検出する工程と、
上記色成分毎に検出される上記有彩色成分の量に基づいて、上記光源の輝度を制御するための光源制御データを生成する工程とを備え、
上記光源制御データに基づいて上記光源の輝度を制御することを特徴とする画像表示方法。
【請求項６】
画像データを入力し、当該画像データに基づいて光源からの光を変調することにより画像を形成する画像表示方法であって、
上記画像データにより表される画像の有彩色成分の量を検出する工程と、
上記有彩色成分の量に基づいて、上記光源の輝度を制御するための光源制御データを生成する工程とを備え、
上記光源制御データに基づいて上記光源の輝度を制御する工程と、
上記画像データにより表される画像の各画素における輝度成分の量を検出する工程と、
上記輝度成分の量、および上記光源制御データに基づいて、上記画像データにより表される画像の各画素の階調を補正するための画像制御データを生成する工程と、
上記画像制御データに基づいて上記画像データを補正する工程とを備え、
補正された上記画像データに基づいて上記光源からの光を変調することを特徴とする画像表示方法。
【請求項７】
上記光源制御データは、上記画像データにより表される画像の１フレームにおける有彩色成分の量、または複数の各フレームにおける有彩色成分の量に基づいて生成されることを特徴とする請求項６に記載の画像表示方法。
【請求項８】
上記画像データにより表される画像の特定の領域における有彩色成分の量を検出し、
上記特定の領域における有彩色成分の量に基づいて光源制御データを生成することを特徴とする請求項６に記載の画像表示方法。
【発明の詳細な説明】
【技術分野】
【０００１】
本発明は、画像表示装置、および画像表示方法に関するものであり、特に、入力される画像信号に応じて輝度や画像データ等の調整を行うものである。
【背景技術】
【０００２】
液晶パネル等の受光型光変調素子を用いた画像表示装置においては、画像信号に応じて調整するバックライト光源の輝度を調整する制御が行われている。下記の特許文献１に記載された画像表示装置は、コントラスト調整の際に画像のＤＣレベルが変化することにより、表示画像の平均輝度レベルが変化しないよう、ＤＣレベルの変化に応じて光源の輝度を調整するものである。これにより、表示画像のコントラストを改善することができる。【０００３】
【特許文献１】特許第３２１５３８８号公報
【発明の開示】
【発明が解決しようとする課題】
【０００４】
上記特許文献１に開示された画像表示装置によれば、画像信号に応じてバックライト光源の輝度を調整することによりコントラスト感を改善することができる。一方、より色鮮やかな画像を表示するためにはカラーフィルターの色純度を高めるなどの方法が採用されている。しかし、色純度の高いカラーフィルターを用いると、透過光（あるいは反射光）の波長帯域が狭くなり、透過率（あるいは反射率）が下がる。このため、所望の表示輝度を得るには光源の輝度を高くする必要があり、消費電力が上昇するなどの問題があった。【０００５】
この発明は、上記のような問題点を解決するためになされたものであり、消費電力を抑えるとともに、より色鮮やかな表示画像を得ることが可能な画像表示装置および画像表示方法を提供することを目的とする。
【課題を解決するための手段】
【０００６】
本発明に係る画像表示装置は、画像データを入力し、当該画像データに基づいて光源からの光を変調することにより画像を形成する光変調手段を備えた画像表示装置であって、上記画像データにより表される画像の有彩色成分の量を検出する色情報検出手段と、
上記有彩色成分の量に基づいて、上記光源の輝度を制御するための光源制御データを生成する光源制御データ生成手段と、
上記光源制御データに基づいて上記光源の輝度を制御する光源制御手段とを備えたものである。【０００７】
本発明に係る画像表示方法は、画像データを入力し、当該画像データに基づいて光源からの光を変調することにより画像を形成する画像表示方法であって、
上記画像データにより表される画像の有彩色成分の量を検出する工程と、
上記有彩色成分の量に基づいて、上記光源の輝度を制御するための光源制御データを生成する工程とを備え、
上記光源制御データに基づいて上記光源の輝度を制御するものである。
【発明の効果】
【０００８】
本発明に係る画像表示装置および画像表示方法は、有彩色成分の量に基づいて画像の明るさを調整するので、彩度の高い色についてはより明るく表示することで、色鮮やかな表示画像を得ることができる。
【発明を実施するための最良の形態】
【０００９】
実施の形態１．
図１は、本発明の一実施形態に係る画像表示装置の構成を示すブロック図である。図１に示す画像表示装置は、受信部２、色情報検出部３、光源制御データ生成部４、光源制御部５、変調部６、および光源７を備えている。変調部６は光源７からの光を変調して画像を形成する表示デバイスにより構成される。具体的には、液晶パネルや、液晶パネルを用いたプロジェクタ、画素に対応する微小なミラー素子を備えた反射型光変調素子（ＤＭＤ）を用いたプロジェクタ等により構成することができる。
受信部２は、入力端子１を介してテレビやコンピュータ等で用いられる所定の形式の画像信号を受信し、受信した画像信号をＲＧＢの色データからなる画像データに変換して出力する。受信部２は、アナログ形式の画像信号が入力される場合は、Ａ／Ｄ変換器などで構成され、また、変調された画像信号が入力される場合は所定の復調器により構成されるものとする。【００１０】
受信部２から出力された画像データは、色情報検出部３および変調部６に入力される。色情報検出部３は、入力された画像データの有彩色成分の大きさを１画面（１フレーム）単位で検出し、光源制御データ生成部４に出力する。【００１１】
図２は、色情報検出部３の内部構成を示すブロック図である。図２に示す色情報検出部３は、最大値検出部８、最小値検出部９、減算器１０、および平均値算出部１１を備えている。最大値検出部８は、ＲＧＢ色データのうち最大となるものの値を画素毎に検出し、最大値データとして出力する。一方、最小値検出部９は、ＲＧＢ色データのうち最小となるものの値を画素毎に検出し最小値データとして出力する。この最小値データは、画像データにおける無彩色成分の量を表す。最大値検出部８および最小値検出部９により出力された最大値データと最小値データは減算器１０に送られる。減算器１０は、最大値データから最小値データを減じることにより、各画素における有彩色成分の大きさを算出する。有彩色成分は画像データの彩度に関連し、一般に有彩色成分が大きくなれば画像の彩度は高くなる。【００１２】
減算器１０により出力される各画素における有彩色成分の大きさは平均値算出部１１に入力される。平均値算出部１１は、１フレームにおける各画素の有彩色成分の平均値を当該フレームにおける有彩色成分の量を表す有彩色データＣＨＲとして算出する。平均値算出部１１により算出される有彩色データＣＨＲは光源制御データ生成部４に送られる。光源制御データ生成部４は、有彩色データＣＨＲに基づいて、当該フレームを表示する際に用いる光源制御データｋを出力する。光源制御データｋは、光源７を駆動する際に用いられ、光源制御データｋの値が大きくなるほど光源７は明るくなるように制御される。【００１３】
図３は、有彩色データＣＨＲと光源制御データｋとの関係の一例を示す図である。有彩色データＣＨＲは予め設定された２つの閾値ＳＨ０，ＳＨ１と比較され、閾値ＳＨ０より小さい場合、光源制御データｋは１となり、閾値ＳＨ１より大きい場合、光源制御データｋはｘとなり、ＳＨ０≦ＣＨＲ≦ＳＨ１の場合は、１〜ｘの間の値となる。なお、光源制御データｋが１の場合、光源７は標準的な輝度となるよう駆動され、１よりも大きい場合は標準より高い輝度となるよう駆動される。また光源制御データがｘの場合、光源７は最大輝度となるよう駆動される。ここで、有彩色成分の量が閾値ＳＨ１より大きい場合、光源７は標準的な輝度より高い輝度であれば任意の輝度であってもよい。【００１４】
光源制御データ生成部４により生成された光源制御データｋは光源制御部５に送られる。光源制御部５は、光源制御データｋに基づいて光源７の駆動電流あるいは駆動電圧のパルス数（パルス周波数）、またはパルス幅を調整することにより光源７の輝度を制御する。
変調部６は、受信部２により出力される画像データに基づいて、光源７からの照明光を変調して表示画像を形成する。【００１５】
図４は、図１に示す画像表示装置の作用について説明するための図である。図４（ａ）は、従来の画像表示装置の色再現範囲を示し、図４（ｂ）は本発明に係る処理を行った場合の色再現範囲を示している。本発明に係る画像表示装置においては、図３に示す関係に基づいて生成される光源制御データｋに基づいて光源７の輝度を制御するので、有彩色成分の量が多い場合、照明光の輝度は上昇する。これにより、図４（ｂ）の実線に示すように、高彩度領域がより明るく表示されるので、表示画像の視覚上の色再現範囲を広げることができる。つまり、Ｒ，Ｇ，Ｂ，Ｃ，Ｍ，Ｙといった純色が多く含まれるような画像、すなわち画像の有彩色成分の量が多い画像をより明るく表示することができる。【００１６】
表示画像の明度が高くなるとより色鮮やかに知覚されることは経験的に知られている。また、同じ色度の色であっても、その明るさが変化することにより知覚される彩度が変化する現象はＨｕｎｔ効果として知られている。これに対し、白黒の画像といった有彩色成分の量が少ない画像においては、知覚される平均輝度レベルは変化しない。したがって、画像の彩度に応じて光源の輝度を上げることにより、白黒の画像から純色の画像にかけての輝度差がより大きく表現されるので、色鮮やかな表示画像を得ることができる。【００１７】
図５は、以上において説明した本発明の一実施形態に係る画像表示装置の動作を示すフローチャートである。まず、画像データを受信し（ＳＴ１）、受信した画像データの色情報として１フレーム分の有彩色成分の量を検出する（ＳＴ２）。次に、検出された色情報に基づいて光源制御データを生成し（ＳＴ３）、生成された光源制御データに基づいて光源の輝度を制御する（ＳＴ４）。そして、光源制御データに基づいて輝度調整される光源の光を画素毎に光変調して画像を表示する（ＳＴ５）。【００１８】
以上において説明したように、本発明に係る画像表示装置は、表示画像の有彩色成分の量（彩度）に基づいて光源の輝度を制御する。つまり、有彩色成分の量が少ないときは光源の輝度を平均的なレベルとし、有彩色成分の量が多いときは光源の輝度を高くする。これにより、高彩度領域をより明るく表示し、視覚上の色再現範囲を広げることができる。また、白黒の画像と純色の画像との間における視覚上の明度の差を大きくすることにより、より色鮮やかな表示画像を得ることができる。
また、変調素子に用いられるカラーフィルターの色純度を上げることなく表示画像の色を鮮明にすることができるので、光源の消費電力の増加を抑えることが可能である。【００１９】
なお、上記説明では、色情報検出部３はＲＧＢ色データの最大値および最小値の差を平均して有彩色データＣＨＲを求めるものとしたが、他の方法によって求めてもよい。
図６は、色情報検出部３の他の構成を示すブロック図である。図６に示す色情報検出部３は、度数分布算出部１２を備えている。減算器１０により算出される各画素の有彩色成分の大きさは度数分布算出部１２に入力される。度数分布算出部１２は、１フレームにおける有彩色成分の度数分布を求め、この度数分布から有彩色データＣＨＲを求めて光源制御データ生成部４に出力する。具体的には、１フレーム分の度数分布から有彩色成分の最大値または最大値付近の値、あるいは度数の半分を示す値（いわゆる重心）を求め、有彩色データとして用いる。なお、度数分布から１フレーム分の有彩色成分の平均値を求めてもよい。【００２０】
なお、光源制御データｋは、複数のフレームにおける有彩色データＣＨＲの平均値に基づいて求めてもよい。また、複数のフレームにおける有彩色データＣＨＲの平均値（積分項）と１フレーム分の有彩色データ（比例項）とを任意の割合で加算して光源制御データｋの変化に時定数を設けてもよく、このような時定数を設けることで光源７の輝度が急激に変化することを防ぎ、輝度変化をより滑らかにすることができる。
ここで、有彩色データＣＨＲは、表示画像における一部の領域の画素に基づいて算出してもよい。【００２１】
図７は、色情報検出部３の他の構成を示すブロック図である。図７に示す色情報検出部３は、度数分布算出部３７，３８、および度数分布比較部３９を備えている。最大値検出部８および最小値検出部９により出力される最大値データおよび最小値データは度数分布算出部３７，３８にそれぞれ送られる。度数分布算出部３７，３８は、最大値データおよび最小値データの１フレーム分の度数分布をそれぞれ求める。度数分布算出部３７，３８により算出された最大値データおよび最小値データの度数分布は度数分布比較部３９に送られる。【００２２】
ここで、１フレーム分の有彩色成分の量は、最大値データの度数分布が高階調領域に集中し、最小値データの度数分布が低階調領域に集中している場合に多くなり、最大値データの度数分布と最小値データの度数分布が同様である場合に少なくなる。したがって、最大値データの度数分布と最小値データの度数分布との比較に基づいて１フレーム分の有彩色成分の量を求めることができる。度数分布比較部３９は、最大値データと最小値データの度数分布を比較することにより１フレームにおける有彩色成分の量を求め、有彩色データＣＨＲを出力する。【００２３】
また、最大値データの累積度数を高階調側から求め、この累積度数を予め設定された第１の閾値と比較し、当該閾値を超えた階調数を最大階調データとして求めるとともに、最小値データの累積度数を低階調側から求め、この累積度数を第２の閾値と比較し、当該閾値を超えた階調数を最小値データの最小階調データとして求め、この最大階調データと最小階調データとの差を有彩色成データＣＨＲとして用いてもよい。なお、閾値を用いずに最大階調データと最小階調データを直接求めてもよい。【００２４】
さらに、最大値データの度数分布を用いて算出される最大値データの平均値と、最小値データの度数分布を用いて算出される最小値データの平均値との差分から有彩色成分の量を求めてもよい。【００２５】
図８は、色情報検出部３の他の構成を示すブロック図である。図８に示す色情報検出部３は、平均値算出部４０，４１、および平均値比較部４２を備えている。平均値算出部４０は、最大値検出部８により出力される最大値データの１フレームにおける平均値を求める。平均値算出部４１は、最小値検出部９により出力される最小値データの１フレームにおける平均値を求める。最大値データおよび最小値データの平均値は平均値比較部４２に送られる。平均値比較部４２は、最大値データおよび最小値データの平均値の差を算出することにより１フレームにおける有彩色成分の量を求め、有彩色データＣＨＲを出力する。【００２６】
図９は、図１に示す画像表示装置の他の構成を示すブロック図である。図９に示す画像表示装置は領域信号生成部１３をさらに備えている。領域信号生成部１３は、画像データの垂直同期信号、水平同期信号に基づいて、表示画像の所定の領域を指定するための領域指定信号ｓを発生し色情報検出部１４に出力する。色情報検出部１４は、領域指定信号ｓにより指定される領域における有彩色成分の量に基づいて有彩色データＣＨＲを生成する。他の動作については、図１に示す画像表示装置と同様である。【００２７】
領域指定信号ｓに基づいて特定の領域における有彩色データＣＨＲを求めることにより、画面中央部といった視聴者が着目する領域における有彩色成分の量に応じたより適切な輝度調整を行うことができる。また、ＤＶＤ等に記憶された映画を表示する場合、画面上下に表示される字幕用の黒帯状の部分を除いて有彩色成分の量を検出することにより、画像の内容に応じた適切な輝度制御を行うことができる。
なお、領域信号生成部１３は、特定の輝度や特定の色を表す領域を検出し、検出された領域を指定する信号を領域指定信号ｓとして出力してもよい。【００２８】
図１０は、図１に示す画像表示装置の他の構成を示すブロック図である。図１０に示す画像表示装置は、ＯＳＤ信号受信部１６、および画像合成部１７をさらに備えている。ＯＳＤ信号受信部１３は、画像表示装置の外部で生成される文字あるいはグラフィックスを構成する画像信号（以下、ＯＳＤ信号）を受信し、受信したＯＳＤ信号により表される文字情報を画像合成部１７に出力するとともに、当該文字画像が表示される部分以外の領域を示す領域指定信号ｓを生成して色情報検出部１４に出力する。【００２９】
画像合成部１７は、受信部２から出力される画像データにＯＳＤ信号により表される文字情報を合成して新たな画像を生成する。画像合成部１７により生成された画像を表すＲ，Ｇ，Ｂ色データは、色情報検出部１４と変調部６に送られる。色情報検出部１４は、ＯＳＤ信号受信部１６により出力される領域指定信号に基づいて、文字情報の表示部分以外の領域における有彩色成分の量を検出する。他の動作は、図１の画像表示装置と同じである。
以上のように、ＯＳＤ信号以外の領域における有彩色成分の量を検出することにより、ＯＳＤ信号により表示画像に重畳される文字情報の影響を受けることなく適切に光源７の輝度を調整することができる。【００３０】
図１１は、図１０に示す画像表示装置の他の構成を示す図である。図１１に示す画像表示装置は、ＯＳＤ信号を生成するＯＳＤ信号発生部１８を備えている。ＯＳＤ信号発生部１８は、チャンネル表示や、リモコン操作の際に表示される記号、文字等を表すＯＳＤ信号を発生し、画像合成部１７に出力するとともに、当該ＯＳＤ信号により表される記号、文字の表示部分以外の領域を示す領域指定信号ｓを生成して色情報検出部１４に出力する。他の動作は、図１０に示す画像表示装置と同様である。【００３１】
なお、受信部２に輝度信号と色信号とからなる映像信号が入力される場合、当該映像信号をＲＧＢ色データに変換する際にＲＧＢ色データの最小値が負となることもある。また、受信部２において、ＲＧＢ色データに対して画質調整等の画像処理を施した際、ＲＧＢ色データに負の値が発生することもある。このように最小値データが負となる場合であっても、最大値データとの差を彩度とみなすことができる。つまり、最小値となる負の値を無彩色成分とし、この負の値を最小値データとして用いることができる。この場合、色情報検出部３は先に説明したように、最大値検出部８、および最小値検出部９により画素毎に検出されるＲＧＢ色データの最大値データ、および最小値データの差を有彩色データＣＨＲとして出力する。【００３２】
実施の形態２．
図１２は、本発明に係る画像表示装置の他の実施形態を示すブロック図である。図１３は、図１２に示す画像表示装置における色情報検出部１９の内部構成を示すブロック図である。図１３に示す色情報検出部１９は、最小値検出部９、減算器２１，２２，２３、平均値算出部２４，２５，２６を備えている。【００３３】
減算器２１，２２，２３には、画像データを構成するＧ，Ｒ，Ｂの色データがそれぞれ入力され、最小値検出部９にはＲＧＢ全ての色データが入力される。最小値検出部９は、ＲＧＢ色データのうち、最小となる色データを検出し、最小値データとして減算器２１，２２，２３に出力する。減算器２１は、色データＧから最小値データを減算し、減算値を緑の有彩色成分の量を表すデータとして平均値算出部２４に出力する。同様に減算器２２は、色データＲから最小値データを減算し、減算値を赤の有彩色成分の量を表すデータとして平均値算出部２５に出力する。減算器２３は、色データＢから最小値データを減算し、減算値を青の有彩色成分の量を表すデータとして平均値算出部２６に出力する。ここで、単位画素における赤、緑、青の有彩色成分の量を表すデータの少なくとも１つは０となる。【００３４】
平均値算出部２４，２５，２６は、１フレームにおける各画素の緑、赤、青の有彩色成分の平均値を当該フレームにおける有彩色成分の量を表す有彩色データＧａ，Ｒａ，Ｂａとして算出し、後段の光源制御データ生成部２０に出力する。【００３５】
図１４は、光源制御データ生成部２０の内部構成を示すブロック図である。図１４に示す光源制御データ生成部２０は、データ発生部２７，２８，２９、およびデータ選択部３０を備えている。データ発生部２７，２８，２９は、有彩色データＧａ，Ｒａ，Ｂａに基づいて、光源制御データＧｋ，Ｒｋ，Ｂｋを生成する。【００３６】
図１５は、有彩色データＧａ，Ｒａ，Ｂａと光源制御データＧｋ，Ｒｋ，Ｂｋとの関係を示す図である。緑、赤、青の有彩色データＧｋ，Ｒｋ，Ｂｋはそれぞれ、予め設定された２つの閾値ＳＨｇ０，ＳＨｇ１、ＳＨｒ０，ＳＨｒ１、およびＳＨｂ０，ＳＨｂ１と比較される。これらの閾値は、ＳＨｇ０＞ＳＨｒ０＞ＳＨｂ０，ＳＨｇ１＞ＳＨｒ１＞ＳＨｂ１となるよう設定される。【００３７】
図１５（ａ）に示すように、有彩色データＧｋが閾値ＳＨｇ０より小さい場合、光源制御データＧｋは１となり、閾値ＳＨｇ１より大きい場合はｘ１となる。また、有彩色データＧｋがＳＨｇ０≦Ｇｋ≦ＳＨｇ１となる場合、光源制御データＧｋは１〜ｘ１の間の値となる。同様に、図１５（ｂ），（ｃ）に示すように、有彩色データＲｋ，Ｂｋが閾値ＳＨｒ０，ＳＨｂ０より小さい場合、光源制御データＲｋ，Ｂｋはそれぞれ１となり、閾値ＳＨｒ１，ＳＨｂ１より大きい場合、光源制御データＲｋ，Ｂｋはそれぞれｘ２，ｘ３となる。また、有彩色データＲｋ，ＢｋがＳＨｒ０≦Ｒｋ≦ＳＨｒ１，ＳＨｂ０≦Ｂｋ≦ＳＨｂ１となる場合、光源制御データＲｋ，Ｂｋはそれぞれ１〜ｘ２，１〜ｘ３の間の値となる。ここで、光源制御データの値ｘ１，ｘ２，ｘ３は、ｘ１＜ｘ２＜ｘ３となるよう設定される。【００３８】
光源制御データＧｋ，Ｒｋ，Ｂｋは、データ選択部３０に入力される。データ選択部３０は、光源制御データＧｋ、Ｒｋ、Ｂｋのうち最大となるデータを選択して後段の光源制御部５に出力する。光源制御部５は、選択された光源制御データに基づいて、光源７の輝度を制御する。【００３９】
明るさに対する人間の視覚上の感度はＧ＞Ｒ＞Ｂとなっているので、図１５に示す光源制御データＧｋ，Ｒｋ，Ｂｋの最大値ｘ１，ｘ２，ｘ３の大小関係は、ｘ１＜ｘ２＜ｘ３となるよう設定している。また、閾値についてもＳＨｇ０＞ＳＨｒ０＞ＳＨｂ０，ＳＨｇ１＞ＳＨｒ１＞ＳＨｂ１としているので視覚上の感度を考慮した適切な輝度調整が可能となる。
また、有彩色成分の種類、例えば、Ｒ，Ｇ，Ｂの光の３原色に加え、その補色であるＣ，Ｍ，Ｙごとに光源制御データを設定することにより、画像の色に応じて適切な輝度の設定を行うことが可能になる。
なお、図１５に示す光源制御データＧｋ，Ｒｋ，Ｂｋの特性は一例であり、適宜設定することができる。例えば、光源制御データＢｋの最大値ｘ３は光源７の輝度を標準より高める値であれば任意の値としてよい。【００４０】
図１６は、図１２に示す画像表示装置における光源制御データ生成部２０の他の構成を示すブロック図である。図１６に示す光源制御データ生成部２０は、最大値検出部３１を備えている。他の構成は図１４に示す光源制御データ生成部２０と同様である。
最大値検出部３１は、色情報検出部１９により算出された有彩色データＧａ，Ｒａ，Ｂａのうち最大となるデータを選択し、選択された有彩色データに対応する輝度制御データを指定する光源制御データ選択信号を生成し、データ選択部３２に出力する。データ選択部３２は、最大値検出部３１により出力される光源制御データ選択信号によって指定される光源制御データＧｋ，Ｒｋ，Ｂｋを選択して出力する。【００４１】
このように有彩色データＧａ，Ｒａ，Ｂａの大小関係に基づいて光源制御データＧｋ，Ｒｋ，Ｂｋを選択するよう構成することで、実際に検出される各色の有彩色成分の量に基づいて光源７の輝度が調整されるので、光源制御データＧｋ，Ｒｋ，Ｂｋを正確に選択するとともに、光源制御データを設定する際の自由度が高くなる。【００４２】
実施の形態３．
図１７は、本発明に係る画像表示装置の他の実施形態を示すブロック図である。図１８は、図１７に示す画像表示装置における色情報検出部３３の内部構成を示すブロック図である。図１８に示す色情報検出部３３は、最大値検出部８、最小値検出部９、減算器１０、平均値算出部１１、および度数分布算出部３５を備えている。【００４３】
最大値検出部８、最小値検出部９、および度数分布算出部３５には、画像データを構成するＲＧＢ色データが入力される。最大値検出部８は、画像データを構成するＲＧＢ色データのうち最大となるものの値を画素毎に検出し、最大値データとして出力する。一方、最小値検出部９は、ＲＧＢ色データのうち最小となるものの値を画素毎に検出し最小値データとして出力する。減算器１０は、最大値データから最小値データを減じ、各画素における有彩色成分の大きさを算出する。平均値算出部１１は、１フレームにおける各画素の有彩色成分の平均値を算出し、当該フレームにおける有彩色成分の量を表す有彩色データＣＨＲとして算出する。平均値算出部１１により算出された有彩色データＣＨＲは光源制御データ生成部３４に送られる。一方、度数分布算出部３５は、ＲＧＢ各色データの度数分布（ヒストグラム）を算出し、算出された度数分布を示す度数分布データＨＤを光源制御データ生成部３４に送る。【００４４】
図１９は、光源制御データ生成部３４の内部構成を示すブロック図である。図１９に示す光源制御データ生成部３４は、データ発生部２７，２８，２９、およびデータ加工部３６を備えている。色情報検出部３３により出力された有彩色データＣＨＲはデータ発生部２７，２８，２９に入力され、度数分布データＨＤはデータ加工部３６に入力される。データ発生部２７，２８，２９は、有彩色データＣＨＲに対して予め設定される３通りの光源制御データＧｋ，Ｒｋ，Ｂｋを出力し、データ加工部３６に送る。この場合、光源制御データＲｋ，Ｇｋ，Ｂｋの特性は、図１５に示す関係に基づいて設定することができる。【００４５】
データ加工部３６は、ＲＧＢ各色データの度数分布を示す度数分布データＨＤに基づいて光源制御データＧｋ，Ｒｋ，Ｂｋを選択、または加工することにより光源制御データを生成する。具体的には、有彩色成分の多い色、例えば光の３原色であるＲ，Ｇ，Ｂとその補色であるＣ，Ｍ，Ｙの有彩色成分を求め、これらの比率に基づいて光源制御データＧｋ、Ｒｋ、Ｂｋから１つを選択して出力するか、あるいは２つの光源制御データを選択して、選択された光源制御データに各色の有彩色成分の割合に応じた係数を掛けたものを加算して出力する。例えば、度数分布がＲとＧの彩度が高いことを示す場合は、光源制御データＧｋとＲｋを選択し、度数分布の分布状況に応じて、ＧｋとＲｋを積和演算することにより光源制御データｋを算出する。
データ加工部３６により生成された光源制御データｋは光源制御部５に送られる。光源制御部５は、光源制御データに基づいて、光源７の輝度を制御する。【００４６】
この構成によれば、光源７の輝度を有彩色成分の種類、例えば、Ｒ，Ｇ，Ｂ，Ｃ，Ｍ，Ｙなどの光の３原色とその補色ごとに異なるように設定することができるので、それぞれの画面が持つ有彩色成分の割合ごとに適切な輝度の設定を行うことが可能になる。【００４７】
なお、上記説明において、データ加工部３６はＲ，Ｇ，Ｂの度数分布に基づいて光源制御データＧｋ，Ｒｋ，Ｂｋを選択または加工するものとしたが、これに限らず、光源制御データＧｋ，Ｒｋ，Ｂｋの値に基づく演算を行って、光源制御データｋを求めてもよい。例えば、光源制御データＧｋ，Ｒｋ，Ｂｋに対して、度数分布データＨＤに応じて各光源制御データについて設定される係数を加算してもよい。【００４８】
実施の形態４．
図２０は、本発明による画像表示装置の他の実施形態を示すブロック図である。図２０に示す画像表示装置は、受信部２、光源制御データ生成部４、色情報検出部４３、画像制御データ生成部４４、画像制御部４５、光源制御部５、変調部６、および光源７を備えている。【００４９】
受信部２から出力された画像データは、色情報検出部４３および画像制御部４５に入力される。色情報検出部４３は、画像データの１フレームにおける有彩色成分の量を検出し、検出された有彩色成分の量を有彩色データＣＨＲとして光源制御データ生成部４に送る。光源制御データ生成部４は、有彩色データＣＨＲに基づいて光源制御データｋを出力する。光源制御データｋは、光源制御部５および画像制御データ生成部４４に送られる。光源制御部５は、光源制御データｋに基づいて光源７の輝度を制御する。【００５０】
また、色情報検出部４３は、１フレームの各画素における有彩色成分の量を検出し、検出された各画素における有彩色成分の量を表す有彩色データＣＨＲｐを画像制御データ生成部４４に出力する。画像制御データ生成部４４は、有彩色データＣＨＲｐおよび光源制御データｋに基づいて、有彩色成分の量が少ない画素については、光源制御データｋに基づいて制御される光源７の輝度変化を打ち消すような画像制御データｊを各画素について生成する。【００５１】
図２１は、有彩色データＣＨＲｐと、画像制御データｊとの関係を示す図である。図２１に示すように、有彩色データＣＨＲｐは予め設定された２つの閾値ＳＨ２，ＳＨ３と比較され、閾値ＳＨ２より小さい場合、光源制御データｊはｙとなり、閾値ＳＨ３より大きい場合、光源制御データｊは１となり、ＳＨ２≦ＣＨＲｐ≦ＳＨ３の場合は、ｙ〜１の間の値となる。ここで、制御データの値ｙは、光源制御データｋに基づいて制御される光源７の輝度変化を打ち消すように設定される。すなわち、制御データの値ｙは光源制御データｋの値によって変化する。【００５２】
画像制御データｊは画像制御部４５に送られる。画像制御部４５は、画像制御データｊに基づいて受信部２から出力される画像データにより指定される画像の各画素の階調を補正し、変調部６に出力する。このとき、各画素の階調は当該画素における有彩色成分の量が少ない場合、光源制御データｋに基づいて制御される光源７の明るさを打ち消すように調整される。なお、画像制御部４５による画像データの調整は、ＲＧＢ画像データに対して行ってもよいが、輝度データと色データに変換してから調整を行った後、ＲＧＢ画像データに変換してもよい。変調部６は、画像制御部４５により調整された画像データに基づいて光源７からの照明光を変調し、画像を形成する。【００５３】
図２２は、図２０に示す本実施の形態に係る画像表示装置の色再現範囲を示す図である。図２２に示す破線は従来の画像表示装置の色再現範囲を示している。本実施の形態に係る画像表示装置によれば、１フレームにおける有彩色成分の量が多い場合は光源７の輝度を上げるとともに、有彩色成分の量が少ない画素については光源７の明るさを打ち消すように画像データの階調が補正される。これにより、彩度の高い画素については輝度を上げることでより色鮮やかに表示し、彩度の低い画素については明るさが抑えられるので、図２２の実線に示すようにより広い色再現範囲を実現することができる。【００５４】
図２３は、本実施の形態に係る画像表示装置の動作を説明するためのフローチャートを示す図である。まず、画像データを受信し（ＳＴ１１）、受信した画像データの色情報として１フレーム中の各画素における有彩色成分の量を検出する（ＳＴ１２）。次に、検出された色情報に基づいて光源制御データを生成し（ＳＴ１３）、生成された光源制御データに基づいて光源の輝度を制御する（ＳＴ１４）。【００５５】
一方、ＳＴ１２において検出された各画素の有彩色成分の量、およびＳＴ１３において生成された光源制御データに基づいて画像データにおける各画素の階調を補正するための画像制御データ、より具体的には、有彩色成分の量が少ない画素については光源制御データにより制御される光源の明るさを打ち消すための画像制御データが生成される（ＳＴ１５）。【００５６】
次に、ＳＴ１５において生成された画像制御データに基づいて画像データの各画素の階調が補正される（ＳＴ１６）。最後に、補正された画像データに基づいて、ＳＴ１４において輝度制御された光源の光を変調することにより画像が表示される（ＳＴ１７）。【００５７】
以上において説明したように、本実施の形態に係る画像表示装置によれば、１フレームにおける有彩色成分の量が多い場合は光源７の輝度を上げるとともに、有彩色成分の量が少ない画素については光源７の明るさを打ち消すように画像データの階調を補正するので、彩度の高い画素については輝度を上げることでより色鮮やかに表示し、彩度の低い画素については、明るさを抑えることで、図２２に実線で示すように、より広い色再現範囲を実現することができる。【００５８】
また、有彩色成分の量が多い１フレームの画像中に有彩色成分の量が少ない画素が含まれている場合、有彩色成分の量が多い領域は色鮮やかに表示され、有彩色成分の量が少ない画素では、視覚的な平均輝度レベルが変化しないように表示される。これにより、白黒の画素から純色の画素までの視覚上の輝度レベルの差が大きくなるので、視覚的により色鮮やかな画像を得ることができる。【００５９】
また、変調素子に用いられるカラーフィルターの色純度を上げることなく表示画像の色を鮮明にすることが可能なため、光源の消費電力の増加を抑えることが可能である。【００６０】
実施の形態５．
図２４は、本発明に係る画像表示装置の他の実施形態を示すブロック図である。図２４に示す画像表示装置は、受信部２、色情報検出部３、光源制御データ生成部４、画像制御データ生成部４７、画像制御部４８、光源制御部５、変調部６、および光源７を備えている。【００６１】
受信部２から出力された画像データは、色情報検出部３、輝度情報検出部４６および画像制御部４８に入力される。色情報検出部３は、画像データの１フレームにおける有彩色成分の量を検出し、検出された有彩色成分の量を有彩色データＣＨＲとして光源制御データ生成部４に送る。光源制御データ生成部４は、有彩色データＣＨＲに基づいて光源制御データｋを出力する。光源制御データｋは、光源制御部５および画像制御データ生成部４７に送られる。光源制御部５は、光源制御データｋに基づいて光源７の輝度を制御する。【００６２】
輝度情報検出部４６は、１フレームの各画素における輝度成分の量を検出し、検出された各画素の輝度成分の量を表す輝度データＹｐを画像制御データ生成部４７に出力する。画像制御データ生成部４７は、輝度データＹｐおよび光源制御データｋに基づいて、輝度成分の量が少ない画素については、光源制御データにより制御される光源７の輝度変化を打ち消す画像制御データｉを生成する。【００６３】
図２５は、輝度データＹｐと、画像制御データｉとの関係示す図である。図２５に示すように、輝度データＹｐは予め設定された２つの閾値ＳＨ４，ＳＨ５と比較され、閾値ＳＨ４より小さい場合、光源制御データｉはｚとなり、閾値ＳＨ５より大きい場合、光源制御データｉは１となり、ＳＨ４≦Ｙｐ≦ＳＨ５の場合は、ｚ〜１の間の値となる。ここで、制御データの値ｚは、光源制御データｋに基づいて制御される光源７の輝度変化を打ち消すよう設定される。すなわち、制御データの値ｚは光源制御データｋの値によって変化する。【００６４】
画像制御データｉは画像制御部４８に送られる。画像制御部４８は、画像制御データｉに基づいて受信部２から出力される画像データにおける各画素の階調を調整し、変調部６に出力する。このとき、各画素の階調は当該画素における輝度成分の量が少ない場合に光源制御データｋに基づいて制御される光源７の輝度変化を打ち消すように調整される。なお、画像制御部４８による画像データの調整は、ＲＧＢ画像データに対して行ってもよいが、輝度データと色データに変換して調整を行った後、ＲＧＢ画像データに変換してもよい。変調部６は、画像制御部４８により調整された画像データに基づいて光源７からの照明光を変調し、画像を形成する。【００６５】
図２６は、本実施の形態に係る画像表示装置の色再現範囲を示す図である。図２６に示す破線は従来の画像表示装置の色再現範囲を示している。本実施の形態に係る画像表示装置によれば、１フレームにおける輝度成分の量が多い場合は光源７の輝度を上げるとともに、輝度成分の量が少ない画素については光源７の明るさを打ち消すように画像データの階調を補正するので、彩度の高い画素については輝度を上げることでより色鮮やかに表示し、暗い画素については、明るさを抑えることで、図２２に実線で示すように、広い色再現範囲を実現することができる。【００６６】
図２７は、本発明の実施の形態に係る画像表示装置の動作を説明するためのフローチャートを示す図である。まず、画像データを受信し（ＳＴ２１）、受信した画像データの色情報として１フレーム中の各画素における有彩色成分の量を検出する（ＳＴ２２）。次に、検出された色情報に基づいて光源制御データを生成し（ＳＴ２３）、生成された光源制御データに基づいて光源の輝度を制御する（ＳＴ２４）。【００６７】
一方、ＳＴ２１において受信した画像データの輝度成分の量を検出し（ＳＴ２５）、検出された各画素の輝度成分の量、およびＳＴ２３において生成された光源制御データに基づいて画像データにおける各画素の階調を補正するための画像制御データ、より具体的には、輝度成分の量が少ない画素については光源制御データにより制御される光源の明るさを打ち消すための画像制御データを生成する（ＳＴ２６）。【００６８】
次に、ＳＴ２６において生成した画像制御データに基づいて画像データにおける各画素の階調を補正する（ＳＴ２７）。最後に、補正された画像データに基づいて、ＳＴ２４において輝度制御された光源の光を変調することにより画像が表示される（ＳＴ２８）。【００６９】
以上において説明したように、本実施の形態による画像表示装置は、１フレームにおける輝度成分の量が多い場合は光源７の輝度を上げるとともに、輝度成分の量が少ない画素については光源７の明るさを打ち消すように画像データの階調を補正するので、彩度の高い画素については輝度を上げることでより色鮮やかに表示し、暗い画素については、明るさを抑えることで、図２２に実線で示すように、広い色再現範囲を実現することができる。特に、暗い画素における輝度の上昇（黒浮き）を抑えることで、有彩色成分の多い画像のコントラストを向上させることができる。【００７０】
また、有彩色成分の量が多い１フレームの画像中に輝度成分の量が少ない画素が含まれている場合、有彩色成分の量が多い領域は色鮮やかに表示され、輝度成分の量が少ない画素では視覚的な輝度レベルが変化しないように表示される。これにより、白黒の画素から純色の画素までの視覚上の輝度レベルの差が大きくなるので、視覚的により色鮮やかな画像を得ることができる。【００７１】
実施の形態６．
図２８は、本発明に係る画像表示装置の他の実施形態を示すブロック図である。図２８に示す画像表示装置は、受信部２、色情報検出部３、光源制御データ生成部４、光源制御部５、変調部６，４９、および光源７を備えている。【００７２】
受信部２から出力された画像データは、色情報検出部３、および変調部６に入力される。色情報検出部３は、画像データの１フレームにおける有彩色成分の量を検出し、検出された有彩色成分の量を有彩色データＣＨＲとして光源制御データ生成部４に送る。光源制御データ生成部４は、有彩色データＣＨＲに基づいて光源制御データｋを出力する。光源制御データｋは、光源制御部５に送られる。光源制御部５は、光源制御データｋを入力し、制御データを変調部に出力する。変調部４９は、制御データに基づいて光源７が発する光を変調することにより変調部６に入射する照明光の輝度を制御する。変調部６は、受信部２により出力される画像データに基づいて、変調部４９により輝度調整された照明光を変調することにより画像を形成する。【００７３】
本実施の形態に係る画像処理装置においては、変調部４９により光源７の輝度調整を行うので、出力輝度が一定の光源を用いて画像の有彩色成分に応じた輝度調整を行うことができる。これにより、有彩色成分の量が少ないときは変調部６に入射する照明光の輝度を平均的なレベルとし、有彩色成分の量が多いときは照明光の輝度を高くする。これにより、高彩度領域をより明るく表示し、視覚上の色再現範囲を広げることができる。また、白黒の画像と純色の画像との間における視覚上の明度の差を大きくすることにより、より色鮮やかな表示画像を得ることができる。
また、変調素子に用いられるカラーフィルターの色純度を上げることなく表示画像の色を鮮明にすることが可能なため、光源の消費電力の増加を抑えることが可能である。【００７４】
実施の形態７．
図２９は、本発明に係る画像表示装置の他の実施形態を示すブロック図である。図２９に示す画像表示装置は、受信部２、色情報検出部３、表示制御データ生成部５１、表示制御部５２、表示部５０を備えている。表示部５０としては、プラズマ・ディスプレイ・パネル（ＰＤＰ）、ＣＲＴ、有機ＥＬディスプレイ、フィールド・エミッション・ディスプレイ（ＦＥＤ）、ＬＥＤディスプレイといった自発光型の表示デバイスを用いることができる。【００７５】
受信部２から出力された画像データは、色情報検出部３、および表示部５０に入力される。色情報検出部３は、画像データの１フレームにおける有彩色成分の量を検出し、検出された有彩色成分の量を有彩色データＣＨＲとして表示制御データ生成部５１に送る。表示制御データ生成部５１は、有彩色データＣＨＲに基づいて、表示部５０の全体の明るさ（平均輝度レベル）を制御する表示制御データを生成し、表示制御データ生成部５１に送る。この表示制御データは、１フレームにおける有彩色成分の多い画像については表示部５０全体の明るさを上げるよう生成される。【００７６】
表示制御部５２は、表示制御データに基づいて表示部５０に供給される電圧または電流量を制御することにより表示画面全体の明るさを調整する。表示部５０にＰＤＰ等のパルス制御を行う表示デバイスを用いた場合、当該表示部５０の電圧または電流のパルス数（パルス周波数）や、パルス幅の比を調整することにより画面の明るさを調整することができる。表示部５０は、受信部２から出力された画像データに基づいて画像表示を行う。【００７７】
本実施の形態による画像表示装置によれば、１フレーム分の有彩色成分の量に基づいて表示部５０全体の明るさを調整するので、高彩度領域をより明るく表示し、視覚上の色再現範囲を広げることができる。また、白黒の画像と純色の画像との間における視覚上の明度の差を大きくすることにより、より色鮮やかな表示画像を得ることができる。【００７８】
実施の形態８．
図３０は、本発明に係る画像表示装置の他の実施形態を示すブロック図である。図３０に示す画像表示装置は、受信部２、色情報検出部５３、画像制御データ生成部５４、画像制御部５５、表示部５６を備えている。表示部５６には、上記実施の形態１、７において例示した液晶パネル、プラズマ・ディスプレイ・パネル、有機ＥＬディスプレイといった任意の表示デバイスを用いることができる。【００７９】
受信部２から出力される画像データは、色情報検出部５３および画像制御部５５に入力される。色情報検出部５３は、画像データの１フレームにおける有彩色成分の量、および各画素の有彩色成分の量を検出し、画像制御データ生成部５４に出力する。画像制御データ生成部５４は、色情報検出部５３により検出された有彩色成分の量に基づいて画像データの階調を補正するための画像制御データを生成する。具体的には、１フレームにおける有彩色成分の量が多い場合、有彩色成分の量が多い画素についてはより明るく表示されるよう画像データの階調を補正するための画像制御データを生成する。【００８０】
画像制御データ生成部５４により生成された画像制御データは、画像制御部５５に送られる。画像制御部５５は、画像制御データに基づいて受信部２から出力された画像データの各画素の階調を補正する。表示部５６は、画像制御部５５により階調補正された画像データに基づいて画像を表示する。他の構成の動作については、実施の形態１と同様である。【００８１】
本実施の形態に係る画像表示装置においては、１フレームにおける有彩色成分の量が多い場合、有彩色成分の量が多い画素についてはより明るく表示されるよう画像データの階調を補正するので、上記実施の形態１と同様に、彩度の高い領域の明度を高めることで、視覚上の色再現範囲を広げ、色鮮やかな表示画像を得ることができる。また、白黒の画像と純色の画像との間における視覚上の明度の差を大きくすることにより、より色鮮やかな表示画像を得ることができる。【００８２】
実施の形態９．
図３１は、本発明に係る画像表示装置の他の実施形態を示すブロック図である。図３１に示す画像表示装置は、受信部２、色情報検出部３、光源制御データ生成部４、光源制御部５、データ変換部５６、表示部６、光源７を備えている。データ変換部５６以外の構成についての動作は実施の形態１と同様である。【００８３】
データ変換部５６は、受信部２により出力されるＲＧＢの色データからなる画像データＤｉｎの階調特性を変換し、変換された画像データＤｏｕｔを出力する。具体的には、画像データＤｉｎが変調部６において表現可能な範囲を越えた場合（例えば、ＲＧＢ色データに負の値が生じた場合や、変調部６の最大階調数を越えた場合）、画像データＤｉｎの本来の階調変化が再現されるよう画像データＤｉｎのデータ値を変換する。【００８４】
図３１および３２は、データ変換部５６におけるデータ変換特性の一例を示す図である。図３１は１次関数を用いたデータ変換特性を示し、図３２は高次の関数を用いたデータ変換特性を示している。図３１および３２に示す変換特性によれば、画像データＤｉｎのＲＧＢ色データに負の値が生じた場合であっても、変調部５６において負の領域のＲＧＢ色データによる階調変化を再現することができる。
上記のようにデータ変換部５６を設けることにより、広い色再現範囲を有するデータにより表される画像を、階調のつぶれを発生することなく表示することが可能になる。
なお、データ変換部５６は、ルックアップテーブル等を用いて構成することができる。
【図面の簡単な説明】
【００８５】
【図１】本発明に係る画像表示装置の一実施形態の構成を示すブロック図である。
【図２】色情報検出部の内部構成を示すブロック図である。
【図３】輝度制御データの特性の一例を示す図である。
【図４】本発明に係る画像表示装置の作用について説明するための図である。
【図５】本発明に係る画像表示装置における処理を示すフローチャートである。
【図６】色情報検出部の内部構成の一例を示すブロック図である。
【図７】色情報検出部の内部構成の一例を示すブロック図である。
【図８】色情報検出部の内部構成の一例を示すブロック図である。
【図９】本発明に係る画像表示装置の一実施形態の構成を示すブロック図である。
【図１０】本発明に係る画像表示装置の一実施形態の構成を示すブロック図である。
【図１１】本発明に係る画像表示装置の一実施形態の構成を示すブロック図である。
【図１２】本発明に係る画像表示装置の一実施形態の構成を示すブロック図である。
【図１３】色情報検出部の内部構成を示すブロック図である。
【図１４】光源制御データ生成部の内部構成を示すブロック図である。
【図１５】輝度制御データの特性の一例を示す図である。
【図１６】光源制御データ生成部の内部構成を示すブロック図である。
【図１７】本発明に係る画像表示装置の一実施形態の構成を示すブロック図である。
【図１８】色情報検出部の内部構成の一例を示すブロック図である。
【図１９】光源制御データ生成部の内部構成の一例を示すブロック図である。
【図２０】本発明に係る画像表示装置の一実施形態の構成を示すブロック図である。
【図２１】画像制御データの特性の一例を示す図である。
【図２２】本発明に係る画像表示装置の作用について説明するための図である。
【図２３】本発明に係る画像表示装置における処理を示すフローチャートである。
【図２４】本発明に係る画像表示装置の一実施形態の構成を示すブロック図である。
【図２５】画像制御データの特性の一例を示す図である。
【図２６】本発明に係る画像表示装置の作用について説明するための図である。
【図２７】本発明に係る画像表示装置における処理を示すフローチャートである。
【図２８】本発明に係る画像表示装置の一実施形態の構成を示すブロック図である。
【図２９】本発明に係る画像表示装置の一実施形態の構成を示すブロック図である。
【図３０】本発明に係る画像表示装置の一実施形態の構成を示すブロック図である。
【図３１】本発明に係る画像表示装置の一実施形態の構成を示すブロック図である。
【図３２】データ変換部における変換特性の一例を示すである。
【図３３】データ変換部における変換特性の一例を示すである。
【符号の説明】
【００８６】
２  受信部，  ３  色情報検出部，  ４  光源制御データ生成部，  ５  光源制御部，  ６  変調部，  ７  光源
【図１】
0003922306.tif 000002
【図２】
0003922306.tif 000003
【図３】
0003922306.tif 000004
【図４】
0003922306.tif 000005
【図５】
0003922306.tif 000006
【図６】
0003922306.tif 000007
【図７】
0003922306.tif 000008
【図８】
0003922306.tif 000009
【図９】
0003922306.tif 000010
【図１０】
0003922306.tif 000011
【図１１】
0003922306.tif 000012
【図１２】
0003922306.tif 000013
【図１３】
0003922306.tif 000014
【図１４】
0003922306.tif 000015
【図１５】
0003922306.tif 000016
【図１６】
0003922306.tif 000017
【図１７】
0003922306.tif 000018
【図１８】
0003922306.tif 000019
【図１９】
0003922306.tif 000020
【図２０】
0003922306.tif 000021
【図２１】
0003922306.tif 000022
【図２２】
0003922306.tif 000023
【図２３】
0003922306.tif 000024
【図２４】
0003922306.tif 000025
【図２５】
0003922306.tif 000026
【図２６】
0003922306.tif 000027
【図２７】
0003922306.tif 000028
【図２８】
0003922306.tif 000029
【図２９】
0003922306.tif 000030
【図３０】
0003922306.tif 000031
【図３１】
0003922306.tif 000032
【図３２】
0003922306.tif 000033
【図３３】
0003922306.tif 000034